(57)【要約】【課題】光ディスクのセット後にユーザが席を外しても広告が先頭から再生されるようにし、ユーザの使い勝手を向上させた光ディスク装置を提供する。【解決手段】制御部６は、操作禁止情報に従ってＤＶＤ１００の自動再生を開始する。入力操作の禁止が解除されると、制御部６は、入力操作の禁止が解除される解除地点Ｐで再生を停止するようＰＵヘッド２に指示する。そして、ユーザが再生キーを押下すると、制御部６は、解除地点Ｐから、即ち広告領域９６Ｂの先頭からＰＵヘッド２に読取らせ、広告領域９６Ｂを先頭から再生再開する。この結果、広告画像や広告音声が最初からＴＶ１０１で再生される。これにより、警告文領域９６Ａが再生されている間に席を外しても、ユーザは、席に戻って来た時に再生キーを押下することで、広告領域９６Ｂの先頭から再生できる。【選択図】  図３
2009048717.tif 000002
【特許請求の範囲】
【請求項１】
画像と音声のコンテンツを示すコンテンツデータと、前記コンテンツデータ中において入力操作を禁止する領域を示す操作禁止情報と、が記録された光ディスクが装置本体にセットされると、前記操作禁止情報に従って前記光ディスクを自動再生する再生手段を備える光ディスク装置において、
前記コンテンツデータは、前記操作禁止情報において前記入力操作が禁止されている操作禁止領域であって前記自動再生において一番最初に再生される操作禁止領域と、ユーザに宣伝するための広告画像が記録された広告領域であって前記操作禁止領域の続きに再生される広告領域と、を有し、
前記光ディスクが装置本体にセットされ、前記再生手段が前記光ディスクを自動再生する時、前記入力操作の禁止が解除される解除地点で再生を停止するよう前記再生手段に指示する制御手段を備え、
前記制御手段は、前記光ディスクの再生が指示されると、前記解除地点から再生再開するよう前記再生手段に指示する光ディスク装置。
【請求項２】
前記操作禁止領域は、ユーザに対する警告文が記録された警告文領域であり、
前記コンテンツデータは、前記光ディスクに記録されているタイトルの内から再生すべきタイトルの選択をユーザに要求するタイトル選択画面が記録されたタイトル選択領域を有し、
前記光ディスクには、前記タイトル選択領域のアドレスが予め記録されており、
前記解除地点から前記再生手段に再生再開させるか、前記アドレスに基づいて前記タイトル選択領域から前記再生手段に再生再開させるか、の選択を受付ける選択手段と、を備え、
前記制御手段は、前記選択手段における選択結果に応じて前記再生手段に指示する請求項１に記載の光ディスク装置。
【請求項３】
前記制御手段を無効にするかどうかを切替える切替手段を備える請求項１又は２に記載の光ディスク装置。
【請求項４】
前記光ディスクは、ブルーレイディスク又はＤＶＤである請求項１から３のいずれかに記載の光ディスク装置。
【発明の詳細な説明】
【技術分野】
【０００１】
本発明は、入力操作を禁止する領域を示す操作禁止情報に従って、光ディスクを自動再生する光ディスク装置に関するものである。
【背景技術】
【０００２】
従来、ＤＶＤ、ブルーレイディスク等の光ディスクに記録されている画像や音声の再生を行う光ディスク装置が実用化され、一般に普及している。このような光ディスク装置は、光ディスクがセットされたときに自動的に再生する自動再生機能を備えており、ユーザが再生操作を行わなくてもコンテンツの最初から再生する。
【０００３】
光ディスクに録画するソフトを制作するソフト制作会社は、このような自動再生機能を利用して、複製禁止等の警告文と宣伝のための広告画像とを、本編に付属するコンテンツとして光ディスクに記録する。これにより、ユーザが光ディスクを光ディスク装置にセットしたとき、光ディスク装置は、自動的にその警告文部分から再生を開始し、その再生が終了すると広告部分を再生し、その再生が終了してから初めて本編の映像の再生を開始する。
【０００４】
さらに、ソフト制作会社は、ユーザが上記の警告文部分を必ず見なければならないように設定していることが多い。詳述すると、ソフト制作会社は、入力操作を禁止する領域を示す操作禁止情報を光ディスクに記録する。例えば、ソフト制作会社は、上記のような警告文部分のデータ再生中には早送り操作や停止操作を無効とする情報を操作禁止情報として光ディスクに記録する。これにより、警告文部分の自動再生中、ユーザが警告文部分を飛ばしたいと思って早送りキーを押しても、この操作が無効とされる。
なお、特許文献１では、ＤＶＤプレーヤが提案されている。
【特許文献１】特開２００１−２９１３７７公報
【発明の開示】
【発明が解決しようとする課題】
【０００５】
しかしながら、上記の広告部分は、上記の警告部分の続きに再生される部分である。そのため、操作禁止の警告部分の再生時に席を外すと、席に戻って来た時に広告部分がある程度再生されてしまっていることが多い。よって、広告部分を先頭から見たい場合、ユーザは、席を外さずに、操作禁止の警告部分の再生が終了するのを待たなければならなかった。また、制作した広告をユーザに全て見てもらいたいというソフト制作会社側の要望もある。
【０００６】
本発明はこのような従来の課題を解決しようとするものであり、光ディスクのセット後にユーザが席を外しても広告が先頭から再生されるようにし、ユーザの使い勝手を向上させた光ディスク装置を提供することを目的とする。
【課題を解決するための手段】
【０００７】
本発明の光ディスク装置は、前記課題を解決するために以下の構成を備えている。
【０００８】
（１）画像と音声のコンテンツを示すコンテンツデータと、前記コンテンツデータ中において入力操作を禁止する領域を示す操作禁止情報と、が記録された光ディスクが装置本体にセットされると、前記操作禁止情報に従って前記光ディスクを自動再生する再生手段を備える光ディスク装置において、
前記コンテンツデータは、前記操作禁止情報において前記入力操作が禁止されている操作禁止領域であって前記自動再生において一番最初に再生される操作禁止領域と、ユーザに宣伝するための広告画像が記録された広告領域であって前記操作禁止領域の続きに再生される広告領域と、を有し、
前記光ディスクが装置本体にセットされ、前記再生手段が前記光ディスクを自動再生する時、前記入力操作の禁止が解除される解除地点で再生を停止するよう前記再生手段に指示する制御手段を備え、
前記制御手段は、前記光ディスクの再生が指示されると、前記解除地点から再生再開するよう前記再生手段に指示する。
【０００９】
この構成において、前記入力操作は、例えば、再生の停止を指定する停止操作、前記自動再生より再生速度の速い高速再生を指定する早送り操作、次のチャプタに再生位置を飛ばす「Ｆ．ＳＫＩＰ」操作、前記自動再生と逆向きに再生する逆方向再生を指定する巻戻し操作、である。また、操作禁止領域は、少なくとも警告文を含む領域である。
【００１０】
この構成では、ユーザが光ディスクを装置本体にセットすると、再生手段が光ディスクの自動再生を開始する。操作禁止領域が再生されている間、入力操作は禁止される。そのため、この間にユーザが早送り等の入力操作を行っても、光ディスク装置は、その入力操作を受付けない。
入力操作の禁止が解除されると、再生手段は、制御手段の指示により、解除地点で再生を停止する。これにより、制御手段および再生手段は、操作禁止領域の続きの広告領域の先頭である解除地点（アドレス）を把握できる。そのため、席に戻った時にユーザが光ディスクの再生を指示しても、再生手段は広告領域の先頭から再生できる。
そして、席に戻った時、ユーザが光ディスクの再生を指示する。すると、解除地点から再生が再開され、広告画像が最初から再生される。
以上より、操作禁止領域が再生されている間に席を外しても、ユーザは、席に戻って来た時に再生を指示することで、広告領域の先頭から再生できる。そのため、ユーザは、席を外さずに、操作禁止領域の再生が終了するのを待つ必要がなくなる。従って、ユーザの使い勝手が向上する。また、制作した広告をユーザに全て見てもらいたいというソフト制作会社側の要望もかなえることができる。
【００１１】
（２）前記操作禁止領域は、ユーザに対する警告文が記録された警告文領域であり、
前記コンテンツデータは、前記光ディスクに記録されているタイトルの内から再生すべきタイトルの選択をユーザに要求するタイトル選択画面が記録されたタイトル選択領域を有し、
前記光ディスクには、前記タイトル選択領域のアドレスが予め記録されており、
前記解除地点から前記再生手段に再生再開させるか、前記アドレスに基づいて前記タイトル選択領域から前記再生手段に再生再開させるか、の選択を受付ける選択手段と、を備え、
前記制御手段は、前記選択手段における選択結果に応じて前記再生手段に指示する。
【００１２】
上記のような広告部分は、ある程度の参考にはなるものの、同じものを度々見せられるのは苦痛でもある。そのため、ユーザ側は、少なくとも広告部分を１度見れば、２度目以降は飛ばして本編の映像から再生することを望むのが通常である。また、ソフト制作会社側も、１度広告を全て見てもらったら、以降はそのような苦痛を与え続けることは好ましいことではないと考える場合が多い。
そこで、この構成においては、ユーザが席に戻って来た時、広告部分を再生するか、本編を再生するか、をユーザが自分の使用方法に応じて選択手段で選択できるようにしている。具体的には、広告部分を先頭から見たければ、ユーザは、解除地点から再生手段に再生再開させる。この場合、広告画像が最初から再生されるので、上記（１）と同じ効果を奏する。一方、広告部分を飛ばして本編の映像から再生したい場合、ユーザは、タイトル選択領域から再生手段に再生再開させる。この結果、制御手段に指示された再生手段によって、タイトル選択画面が再生される。タイトル選択画面を見て、ユーザは、複数のタイトルの内から再生すべきタイトルを選択し、所望のタイトルを再生する。この結果、本編が再生される。
以上により、ユーザは、広告部分を飛ばして本編の映像から再生することもできる。そのため、ユーザは、同じ広告を何度も見なくとも済む。従って、ユーザの使い勝手が一層向上する。
【００１３】
（３）前記制御手段を無効にするかどうかを切替える切替手段を備える。
【００１４】
この構成により、ユーザは、解除地点で自動再生を光ディスク装置に停止させるかどうか、自分の使用方法に応じて切替えできる。従って、ユーザの使い勝手が一層向上する。
【００１５】
（４）前記光ディスクは、ブルーレイディスク又はＤＶＤである。
【発明の効果】
【００１６】
この発明によれば、ユーザの使い勝手が向上する。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、所謂ＤＶＤプレーヤであり、装置本体１の各部の動作を制御する制御部６と、ＤＶＤ１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データをアナログの再生音声信号に変換する音声処理部５と、画像データをアナログの再生画像信号に変換すると、ＯＳＤ画像を生成するOSD処理部８と、合成画像を生成する画像合成部１３と、を備えている。
なお、この実施形態では、ＤＶＤ１００を用いているが、実施の際は、ブルーレイディスクでも構わない。
【００１９】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、ＤＶＤ１００の半径方向に延びる軸に移動自在に取り付けられている。スレッドモータが、ＰＵヘッド２をＤＶＤ１００の半径方向に移動する。
ＬＤは、レーザ光を出力する光源であり、フォトディテクタは、複数の受光素子で形成されており、ＤＶＤ１００からの反射光を検出する。
対物レンズは、ＤＶＤ１００に対するレーザ光の照射時間を調節する。また、アクチュエータは、対物レンズをＤＶＤ１００に接離する方向、及びＤＶＤ１００の半径方向に移動させる。
【００２０】
再生時の動作について説明する。
ＰＵヘッド２は、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００２１】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばＭＰＥＧでエンコードされている。そして、再生回路３は、これらのデータをデコードする。そして、再生回路３は、音声データを音声処理部５に、画像データを画像合成部１３に、これらのデータの同期を取りながら、それぞれ出力する。
【００２２】
音声処理部５は、音声データをアナログの再生音声信号に変換し、その再生音声信号を外部のテレビジョン１０１に出力する。
なお、テレビジョン１０１がディジタル対応（例えばＨＤＭＩ規格）であれば、ディジタルで出力しても構わない。
【００２３】
OSD処理部８は、不図示のＯＳＤ画像メモリ（不図示）を内蔵する。ＯＳＤ画像メモリは、例えばフラッシュメモリで構成される。OSD処理部８は、制御部６から与えられる制御信号に基づいて、ＯＳＤ画像メモリが記憶しているデータに基づいて文字又は図形のＯＳＤ画像を生成し、画像合成部１３へ出力する。
【００２４】
画像合成部１３は、制御部６から与えられる制御信号に基づいて、再生回路３から出力された画像データに基づく画像に、OSD処理部８から出力されたＯＳＤ画像を合成した合成画像を生成する。
【００２５】
そして、画像合成部１３は、この合成画像の信号をアナログの再生画像信号に変換し、外部のテレビジョン１０１に出力する。又は、画像合成部１３は、再生回路３から出力された画像データをアナログの再生画像信号に変換し、外部のテレビジョン１０１に出力する。又は、画像合成部１３は、OSD処理部８から出力されたＯＳＤ画像のデータをアナログの再生画像信号に変換し、外部のテレビジョン１０１に出力する。ここで、これらの３パターンの動作は、制御部６の指示によって切り替わる。
なお、テレビジョン１０１がディジタル対応（例えばＨＤＭＩ規格）であれば、ディジタルで出力しても構わない。
【００２６】
音声処理部５及び画像合成部１３には、テレビジョン１０１が接続される。テレビジョン１０１は、光ディスク装置1から出力された信号を処理して、画像を画面上に表示したり音声を放音したりする。
ユーザは、このテレビジョン１０１において、音声処理部５及び画像合成部１３から出力された再生画像信号に基づく画像、及び再生音声信号に基づく音声を視聴することができる。
【００２７】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、ＤＶＤ１００の再生を指示するための再生キー、その再生より再生速度の速い高速再生を受付ける早送りキー、ＤＶＤ１００に記録されているタイトルの内から再生すべきタイトルの選択を受付けるタイトル選択キー、が含まれる。ここで、切替キーについての詳細は、後述する。
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２８】
表示部９は、現在時刻、光ディスク装置１の設定状態などを表示する。
【００２９】
記憶部１１は、例えばハードディスクやＥＥＰＲＯＭで構成されており、装置本体１の制御プログラムを記憶する。
【００３０】
制御部６は、例えばマイクロコンピュータで構成される。また、制御部６は、上記の制御プログラムなどを展開するワークフィールドとしてのＲＡＭ（不図示）を内蔵する。制御部６は、光ディスク装置１にユーザから入力された命令に応じて光ディスク装置１の各部を制御する。
【００３１】
ここで、ＰＵヘッド２、再生回路３、、音声処理部５、及び画像合成部１３が、本発明の「再生手段」に相当する。また、制御部６が、本発明の「制御手段」に相当する。また、操作部１０及びリモコン１２が、本発明の「選択手段」に相当する。また、操作部１０及びリモコン１２が、本発明の「切替手段」に相当する。
【００３２】
図２は、ＤＶＤ−Ｖideoフォーマットで記録された光ディスク上のデータのデータ構造を示す図である。また、図３は、VMGM_VOBS９６に含まれるコンテンツデータの内容を示す図である。ＤＶＤ−Ｖideoフォーマットで記録されたＤＶＤ１００上には、図２Ａに示すように、その内周から外周にかけてVMGI９５、VMGM_VOBS９６、VMGIbup９７、タイトルＴ１〜Ｔ３が記録されている。
【００３３】
VMGI(Video  Manager  Information)９５には、ＤＶＤ−Ｖideo全体の再生関連情報（制御情報）、いわゆるルートメニューの情報が記述されている。例えば、ＶＴＳＩのアドレス情報等もここに記述されている。また、VMGI９５には、VMGM_VOBS９６に含まれるコンテンツデータ中において、入力操作を禁止する領域を示す操作禁止情報も記述されている。
VMGM_VOBS(Video  Object  Set  for  VMG  Menu)９６には、ＶＯＢＳ１００３に記述されているコンテンツの再生に先立って再生されるコンテンツが記述されている（図３参照）。このVMGM_VOBS９６には、ユーザに対する警告文が記録された警告文領域９６Ａと、ユーザに宣伝するための広告画像や広告音声が記録された広告文領域９６Ｂと、タイトル選択画面が記録されたタイトル選択領域９６Ｃと、が含まれる。タイトル選択画面とは、ＤＶＤ１００に記録されているタイトルＴ１〜Ｔ３の内から再生すべきタイトルの選択をユーザに要求する画面である。
VMGIbup９７は、VMGI９５のバックアップファイルである。
【００３４】
また、タイトルＴ１は、ＶＴＳＩ（Ｖideo  Ｔitle  Ｓet  Ｉnformation）１００２とＶＯＢＳ（Ｖideo  Ｏbject  Ｓet）１００３とＶＴＳＩbup１００４とから構成されている（図２Ａ参照）。タイトルＴ２、Ｔ３も、タイトルＴ１と同様のデータ構造となっている。ＤＶＤ−Ｖideoフォーマットでは、最大９９タイトルまで収録が可能である。図２Ａでは、３タイトル収録されている。
ＶＴＳＩ１００２には、そのＶＴＳに対する制御情報が記述されている。
ＶＯＢＳ１００３には、タイトル再生のためのコンテンツ（ＴＶ番組など）が記述されている。該ＶＯＢＳ１００３には、図２Ｂに示すように、複数のセル１０１０〜１０１９から構成されている。
なお、ＶＯＢＳとＶＴＳとは、同じものを表す。
ＶＴＳＩbup１００４には、ＶＴＳＩ１００２のバックアップファイルが記述されている。
【００３５】
ＤＶＤ−Ｖideoフォーマットにおいて、データは、予め決められたセル単位で記録される。
セル１０１０は、複数のＶＯＢＵ（Ｖideo  Ｏbject  Ｕnit）１０２０〜１０２９で構成される（図２Ｃ参照）。１タイトルのセルの最大数は２５５セルである。そのため、光ディスクに１０時間分のデータを記録する場合、１セルは、例えば２分３０秒である。
ＶＯＢＵ１０２０には、先頭にＮＶ＿ＰＣＫ（Ｎavigatyion  Ｐack）１０３０が置かれ、続いてビデオデータやオーディオデータ（ＡＶデータ）などがパック化されて挿入される（図２D参照）。
【００３６】
図４は、本発明の実施形態である光ディスク装置の制御部が行う動作を示すフローチャートである。この動作は、ユーザがＤＶＤ１００を光ディスク装置１にセットした時の動作である。
【００３７】
ＤＶＤ１００がセットされると、制御部６は、ＤＶＤ１００から制御情報をＰＵヘッド２に読取らせる（Ｓ１）。制御情報には、タイトル選択領域９６Ｃの先頭アドレスやVMGI９５も含まれる。制御情報は、再生回路３を介して制御部６に入力する。
【００３８】
さらに、制御部６は、入力されたVMGI９５を解析して、操作禁止情報を取得する（Ｓ２）。これにより、制御部６は、VMGM_VOBS９６中において入力操作を禁止する領域を把握する。この実施形態では、警告文領域９６Ａが入力操作を禁止する領域であるとする。
【００３９】
そして、制御部６は、操作禁止情報に従ってＤＶＤ１００の自動再生を開始する（Ｓ３）。この結果、まず、警告文領域９６Ａが再生され、図５に示すような警告文がＴＶ１０１に表示される。
図５は、自動再生において一番最初に再生される警告文の一例を示す図である。ここで、図５に示すような警告文がＴＶ１０１に表示されている間、即ち警告文領域９６Ａが再生されている間、入力操作は禁止される。そのため、この間、ユーザは、早送り等の操作を行うことができない。この間に早送り等の操作があっても、制御部６は、その入力操作を無視する。
【００４０】
入力操作の禁止が解除されると（Ｓ４）、制御部６は、入力操作の禁止が解除される解除地点Ｐ（図３参照）で再生を停止するようＰＵヘッド２に指示する（Ｓ５）。これにより、ＰＵヘッド２は、解除地点Ｐで待機する。また、制御部６は、解除地点Ｐのアドレスを取得できる。ここで、Ｓ５を設けた理由は、警告文領域９６Ａが再生されている間に、ユーザが席を外しても、広告領域９６Ｂの先頭である解除地点Ｐから再生できるようにしておくためである。
【００４１】
そして、制御部６は、再生キーが押下されたか、タイトル選択キーが押下されたか、を判断する（Ｓ６、Ｓ７）。ここで、Ｓ６及びＳ７では、ユーザが、解除地点Ｐから即ち広告領域９６Ｂの先頭から光ディスク装置１に再生再開させるか、タイトル選択領域９６Ｃから光ディスク装置１に再生再開させるか、を選択できる状態となっている。制御部６は、いずれか一方が選択されるまで待機する。広告領域９６Ｂの先頭から光ディスク装置１に再生再開させたい場合、ユーザは再生キーを押下する。逆に、タイトル選択領域９６Ｃから光ディスク装置１に再生再開させたい場合、ユーザはタイトル選択キーを押下する。
【００４２】
Ｓ５において再生キーが押下されると、制御部６は、広告領域９６Ｂの先頭からＰＵヘッド２に読取らせ、広告領域９６Ｂを先頭から再生再開する（Ｓ８）。この結果、広告画像や広告音声が最初からＴＶ１０１で再生される。
以上より、警告文領域９６Ａが再生されている間に席を外しても、ユーザは、席に戻って来た時に再生キーを押下することで、広告領域９６Ｂの先頭から再生できる。そのため、ユーザは、席を外さずに、警告文領域９６Ａの再生が終了するのを待つ必要がなくなる。従って、ユーザの使い勝手が向上する。また、制作した広告をユーザに全て見てもらいたいというソフト制作会社側の要望もかなえることができる。
【００４３】
一方、Ｓ５においてタイトル選択キーが押下されると、制御部６は、Ｓ１で入力されたアドレスに基づいてタイトル選択領域９６Ｃの先頭からＰＵヘッド２に読取らせ、タイトル選択領域９６Ｃを先頭から再生再開する（Ｓ９）。この結果、タイトル選択画面がＴＶ１０１で再生される。タイトル選択画面を見て、ユーザは、複数のタイトルＴ１〜Ｔ３の内から再生すべきタイトルをタイトル選択キーで選択し、所望のタイトルを再生する。この結果、本編がＴＶ１０１で再生される。
以上により、ユーザは、広告部分を飛ばして本編の映像から再生することができる。そのため、ユーザは、同じ広告を何度も見なくとも済む。従って、ユーザの使い勝手が向上する。
【００４４】
また、本発明の実施形態では、以下の変形例を適用できる。
【００４５】
操作部１０に、解除地点Ｐでの自動再生の停止を有効とするか、無効とするか、の切替を受付ける切替キーを設けても構わない。解除地点Ｐでの自動再生の停止を切替キーによって無効とすると、制御部６は、Ｓ５をスルーする。これにより、光ディスク装置１は、従来の光ディスク装置と同様に、警告文領域９６Ａの再生終了後、引き続き広告領域９６Ｂを再生する。
これにより、ユーザは、解除地点Ｐで自動再生を光ディスク装置１に停止させるかどうか、自分の使用方法に応じて切替えできる。
【図面の簡単な説明】
【００４６】
【図１】本発明の実施形態である光ディスク装置の主要な構成を示すブロック図
【図２】ＤＶＤ−Ｖideoフォーマットで記録された光ディスク上のデータのデータ構造を示す図
【図３】VMGM_VOBS９６に含まれるコンテンツデータの内容を示す図
【図４】本発明の実施形態である光ディスク装置の制御部が行う動作を示すフローチャート
【図５】自動再生において一番最初に再生される警告文の一例を示す図
【符号の説明】
【００４７】
１−光ディスク装置
２−ピックアップヘッド
３−再生回路
５−音声処理部
６−制御部
９−表示部
１０−操作部
１１−記憶部
１２−リモコン
１３−画像合成部
１００−ＤＶＤ
１０１−テレビジョン
【図１】
2009048717.tif 000003
【図２】
2009048717.tif 000004
【図３】
2009048717.tif 000005
【図４】
2009048717.tif 000006
【図５】
2009048717.tif 000007